(57)【要約】【課題】  包装袋及びデータバッグのダブル機能を持ち、資源の無駄という問題が低減される包装袋の構造を提供する。【解決手段】  袋１の長い辺の一つに装丁部１１を設ける。装丁部１１に装丁孔１２がある。装丁部１１に封じ方式を採用するので、水などが装丁孔１２から袋１に滲入するのを防止できる。袋１は装丁孔１２によりデータファイルフォルダーに装丁される。袋１の長い辺のもう一つに開口１３を設置する。開口１３からデータを袋１に放置する。開口１３の内縁にファスナーを設置してもよく、ファスナーで開口１３を開閉させる。開口１３の外層からカバーシートを延ばしてもよく、カバーシートの内縁に粘着バーを設置し、又はカバーシートの中間に粘着テープを設置し、カバーシートが折り合う場合に粘着バー又は粘着テープでカバーシートを袋１に貼り付ける。以上の方法で開口１３の開閉を制御して、利便にデータの収納または取りを行う。【選択図】    図４
0003101618.tif 000002
【実用新案登録請求の範囲】
【請求項１】
包装袋の構造において、
袋の長い辺の一つに開口を設け、袋の長い辺のもう一つに封じ処理の装丁部を設け、収納の貫通孔のニーズに合わせるために装丁部に複数の装丁孔を設け、
袋は装丁部の装丁孔を経由して自身をデータのファイルフォルダーに装丁され、
装丁部に封じ方式を採用することにより、水、液体、汚物が装丁孔から袋に滲入することが防止され、
データ書類は袋の長い辺の開口から放置され、
開口にファスナーが設置され、そのファスナーにより開口を開閉させ、開口の外層からカバーシートが延ばされ、カバーシートの内縁の適当な箇所に粘着バーが設置され、又はカバーシートの中間の適当な箇所に粘着テープが設置されることにより、カバーシートが折り合う場合に粘着バー又は粘着テープで開口を開閉させ、データを袋に入れ又は袋から取り出し可能であり、
袋が包装袋及びデータバッグのダブル機能を持つとともに、プラスチックバッグのごみ量が低降され、資源の無駄という環境保護の問題が低減されることを特徴とする包装袋の構造。
【考案の詳細な説明】
【技術分野】
【０００１】
本考案は、包装袋の構造に関するものである。
【背景技術】
【０００２】
従来より、伝統の包装袋はほぼ簡単な平面開口のプラスチックバッグである。書類データをプラスチックバッグにいれたあとで、図１Ａに示すように、開口の位置にテープを貼り付ける。
【考案の開示】
【考案が解決しようとする課題】
【０００３】
しかし、そんな包装方式では、消費者はテープを裂いてから、次の二つ理由でいつも包装袋を棄てて、別に購入したデータ袋でデータを保存する。
（ア）気にしないと、包装袋さえ破壊して裂く。
（イ）図１Ｂの方式の袋ならば、保存し難い。
【０００４】
図１の袋ならば保存し難いという理由は、各メーカの書類データをいれるプラスチックバッグのサイズが一致しないということである。各メーカの書類の寸法は一致するが、各自使用した包装袋は必ずしも同じではない。包装袋のサイズにささやかな差異があるばかりでなく、その折り畳み部の寸法も異なる。その結果、重畳のデータは整然と揃っていない。
【０００５】
前掲の問題は深刻な問題であると言える。その重大性は包装袋自身によって発生するごみの問題だけでなく、消費者がデータ、添付件を保存するためにデータバッグをもう一度購入することにより、資源の無駄も招くことにある。つまり、工場では消費者のデータ保存のニーズを満足するために収納用のデータバッグを生産するが、前掲の資源の消耗を招く要因は包装袋が最終的にごみになることにある。包装袋を収納機能を具有するデータバッグへ変更すれば、ごみ包装袋の問題が解決されるばかりでなく、資源消耗の問題も解決される。よって、消費者が別にデータバッグを購入しなくなり、工場はデータバッグを生産する必要がなくなる。消費が減れば、資源の消耗も低降され、ごみ量も下げられ、環境汚染も減少する。要するに、本考案は必ず産業、環境にとって大きな貢献を持つ設計であると分かる。
【０００６】
どういうふうにコンピュータ、電気製品の添付書類を保存するかは現代人の夢としてうなされることとなる。自分の身の回りを考えて、山のように積まれた説明書、ミニハンドブック、CDがあればどうするか。多数の人は収納ボックス又はデータバッグを再び購入して、それらを収納する。なぜならば、各業者の、ハンドブック、添付書類を包装するための包装袋の設計は悪いし、収納が不便であるからである。
【０００７】
伝統製品の包装袋はどんな形態を採用するか。大体に言えば、プラスチックファスナーバッグ及びプラスチックバッグという二つの形式がある。それらの構造は皆矩形の袋であり、開口が袋の短い辺に配置される。「開口が袋の短い辺に配置される」ということは伝統の包装袋がごみ袋となる主な要因である。開口が袋の短い辺に配置される袋はデータファイルフォルダーのパンチホールと結合しにくいし、いつも衝突して合わない。
【０００８】
包装袋には孔を打ちやすいが、開口が袋の短い辺に配置される伝統袋の構造には次の問題がある。
（ア）包装袋はプラスチックメーカが予め作って各会社に提供し、書類データを包装する。事前に孔を加工すると、図２の矢印に示すように、汚い屑、液体がいつもその孔から滲入して、書類データを破壊する。
【０００９】
（イ）書類を包装袋に入れたあとで、事前に加工した孔が使用できるかもしれない。図２の矢印に示すように、事前に加工した孔を持つ包装袋では、データをいれたあとで、頻繁にデータが装丁孔を遮蔽するので、装丁孔が使用できない。ひどいのになると、図２の矢印に示すように、事前に加工した孔を持つ包装袋では、汚い屑、水、液体がいつもその孔から袋に滲入して、書類データを損壊する。
【００１０】
（ウ）伝統の包装袋を作るプラスチックとして、コストを考え、薄い厚さのPE、又はPPを採用する。袋に孔をパンチしても、支持の強度が小さい。多数の場合には、袋と包装物の重量を担わない。支持の強度を強化するために、装丁部で封じの処理を行うと、いつも図３Ａに示すように、袋口と封じた装丁部とが相互に衝突、抵触する。
【００１１】
図３Ａ１に示すのは、ファスナーバッグに応用すれば起こる問題である。ファスナーと封じた装丁部とが相互に重畳するので、実際の生産には許可できないと分かる。ファスナーと装丁部との衝突も使用の問題を招く。
図３Ａ２に示すように、袋口の局部位置を封じた。袋口を封じるためのカバーシートは図３Ａ２に示すように、テープを使用し、又は粘着帯を使用する。ところが、実際の生産には、実施できないと分かる。
【００１２】
図３Ａ３を参照する。袋口を図３Ａ３に示すように、簡易のテープで貼り付けて包装したら、装丁孔が折り畳まれて衝突するので、大変困った。
本考案の主な目的は、包装袋及びデータバッグのダブル機能を持つとともに、プラスチックバッグのごみ量が低降され、資源の無駄という環境保護の問題が低減される包装袋の構造を提供することにある。
【課題を解決するための手段】
【００１３】
上述の目的を達成するための本考案の包装袋の構造は、袋の長い辺の一つに開口を設け、袋の長い辺のもう一つに封じ処理の装丁部を設け、収納の貫通孔のニーズに合わせるために装丁部に複数の装丁孔を設ける。袋は装丁部の装丁孔を経由して自身をデータのファイルフォルダーに装丁する。装丁部に封じ方式を採用することにより、水、液体、汚物が装丁孔から袋に滲入することを防ぐ。データ書類は袋の長い辺の開口から放置される。開口にファスナーを設置してもよく、そのファスナーにより開口を開閉させ、開口の外層からカバーシートを延ばしてもよく、カバーシートの内縁の適当な箇所に粘着バーを設置し、又はカバーシートの中間の適当な箇所に粘着テープを設置することにより、カバーシートが折り合う場合に粘着バー又は粘着テープで開口を開閉させ、データを袋に入れ又は袋から取り出す。袋が包装袋及びデータバッグのダブル機能を持つとともに、プラスチックバッグのごみ量が低降され、資源の無駄という環境保護の問題が低減される。
【考案を実施するための最良の形態】
【００１４】
以下、本考案の実施例を図面に基づいて説明する。
まずは図３から図６を参照する。本考案の一実施例による包装袋の構造は次のとおりである。
袋１の長い辺の一つには適当な広さの封じ装丁部１１を設ける。装丁部１１に若干の装丁孔１２がある。装丁部１１に封じ方式を採用するので、水、液体、汚い物が装丁孔から袋１に滲入するということを避けることができる。また、封じ方式を採用する装丁部１１が大きな強度で自身１を支持するので、装丁孔１２は実際の応用において袋１の重量で変形しない。袋１は装丁部１１における装丁孔１２を経由してデータファイルフォルダーに装丁される。袋１の長い辺のもう一つには開口１３を設置する。袋１の開口１３からデータを袋１に放置する。開口１３の内縁の適当な箇所にファスナー１４を設置してもよく、ファスナー１４で開口１３を開閉させる。開口１３の外層からカバーシート１５を延ばしてもよく、カバーシート１５の内縁の適当な箇所に粘着バー１５１を設置し、又はカバーシート１５の中間の適当な箇所に粘着テープ１５２を設置する。そうすると、カバーシート１５が折り合う場合に、粘着バー１５１又は粘着テープ１５２でカバーシート１５を袋１に貼り付ける。以上の方法で袋１の開口１３の開閉を制御して、利便にデータの収納または取りを行う。
【００１５】
そうすると、人間が包装袋１を受けるときに、必要かどうかを問わず、容易に包装袋１をデータバッグとして、データファイルフォルダーに利便に収納する。結局、プラスチック包装袋１がごみ袋となるチャンスが少ないので、資源の無駄という環境保護の問題を低減する。
【図面の簡単な説明】
【００１６】
【図１】従来の袋を示す模式図である。
【図２】従来の装丁袋を示す模式図である。
【図３】従来のほかの袋を示す模式図である。
【図４】本考案の一実施例による包装袋を示す展開図である。
【図５】本考案の一実施例による包装袋を示す模式図である。
【図６】本考案の一実施例による包装袋を示す模式図である。
【図７】本考案の一実施例による包装袋を示す模式図である。
【符号の説明】
【００１７】
１  袋、１１  装丁部、１２  装丁孔、１３  開口、１４  ファスナー、１５  カバーシート、１５１  粘着バー、１５２  粘着テープ
【図１】
0003101618.tif 000003
【図２】
0003101618.tif 000004
【図３】
0003101618.tif 000005
【図４】
0003101618.tif 000006
【図５】
0003101618.tif 000007
【図６】
0003101618.tif 000008
【図７】
0003101618.tif 000009